(57)【特許請求の範囲】
【請求項１】
画像形成装置本体と、
前記画像形成装置本体内に着脱される着脱構造体と、
画像の形成及び記録媒体の搬送の少なくともいずれか一方に用いられる複数の第１の機器と、
画像の形成及び記録媒体の搬送の少なくともいずれか一方に用いられる第２の機器と、
前記複数の第１の機器及び前記第２の機器に電力を供給する給電装置と、
を有し、
前記給電装置は、
絶縁性の給電装置本体と、
前記複数の第１の機器にそれぞれ電力を供給するために用いられる複数の第１の給電線と、
前記複数の第１の給電線で前記複数の第１の機器にそれぞれ供給される電力と異なる電圧の電力を前記第２の機器に供給するために用いられる第２の給電線と、
前記複数の第１の給電線のそれぞれに連結された複数の第１の給電端子と、
前記第２の給電線に連結された第２の給電端子と、
を有し、
前記給電装置本体は、
前記複数の第１の給電線をそれぞれに支持する第１の支持部材と、
前記第２の給電線を支持する第２の支持部材と、
を有し、
前記第１の支持部材は、
第１の壁面を有する壁面部と、
前記第１の壁面から、前記第１の壁面と交差する方向に突出した複数の突出部と、
を有し、
前記複数の第１の給電線は、それぞれが、前記第１の壁面と、前記複数の突出部であって互いに隣り合う２つと、前記第２の支持部材の前記第１の支持部材側の壁面である第２の壁面とによって囲まれるようにして形成される複数の空間内にそれぞれに配置され、
前記複数の第１の給電線の互いに隣り合う２つが、前記複数の突出部のうちの１つによって、前記複数の空間の互いに隣り合う２つの中にそれぞれに配置された状態となるように隔てられるように配置され、
前記第２の給電線は、前記第２の支持部材の前記第２の壁面と逆側の面側に配置されていて、
前記着脱構造体は、
前記複数の第１の機器と、
前記第２の機器と、
前記複数の第１の機器にそれぞれに連結されていて、当該着脱構造体が前記画像形成装置本体内に挿入された際に前記複数の第１の給電端子とそれぞれに接触し、前記複数の第１の給電端子を介してそれぞれに給電される複数の第１の被給電端子と、
前記第２の機器に連結されていて、当該着脱構造体が前記画像形成装置本体内に挿入された際に前記第２の給電端子と接触し、前記第２の給電端子を介して給電される第２の被給電端子と、
を有する画像形成装置。
【請求項２】
前記第１の支持部材に、前記複数の第１の給電線をそれぞれに保持する複数の第１の保持溝であって、前記第１の壁面と前記複数の突出部であって互いに隣り合う２つとによって囲まれるようにしてそれぞれが形成され、前記第２の壁面と共に、囲むようにしてそれぞれが前記複数の空間のいずれかを形成する前記複数の第１の保持溝が形成され、
前記第２の支持部材に、前記第２の給電線を保持する第２の保持溝が形成され、
前記第２の支持部材の前記第２の壁面に前記複数の第１の保持溝のいずれかに挿入されるように形成された凸部をそれぞれが備え、前記複数の第１の給電線のいずれかが前記複数の第１の保持溝のいずれかから外れる方向に移動することを抑制する複数の移動抑制部を有する請求項１記載の画像形成装置。
【請求項３】
画像形成装置本体と、
前記画像形成装置本体内に着脱される着脱構造体と、
像を保持する複数の像保持体と、
前記複数の像保持体に保持された像がそれぞれに転写される転写体と、
前記複数の像保持体から前記転写体にそれぞれに画像を転写する複数の１次転写装置と、
前記転写体から記録媒体に画像を転写する２次転写装置と、
前記複数の１次転写装置及び前記２次転写装置に電力を供給する給電装置と、
を有し、
前記給電装置は、
絶縁性の給電装置本体と、
前記複数の１次転写装置にそれぞれに電力を供給するために用いられる複数の第１の給電線と、
前記複数の第１の給電線で前記複数の１次転写装置にそれぞれに給電される電力と異なる電圧の電力を前記２次転写装置に供給するために用いられる第２の給電線と、
前記複数の第１の給電線のそれぞれに連結された複数の第１の給電端子と、
前記第２の給電線に連結された第２の給電端子と、
を有し、
前記給電装置本体は、
前記複数の第１の給電線をそれぞれに支持する第１の支持部材と、
前記第２の給電線を支持する第２の支持部材と、
を有し、
前記第１の支持部材は、
第１の壁面を有する壁面部と、
前記第１の壁面から、前記第１の壁面と交差する方向に突出した複数の突出部と、
を有し、
前記複数の第１の給電線は、それぞれが、前記第１の壁面と、前記複数の突出部であって互いに隣り合う２つと、前記第２の支持部材の前記第１の支持部材側の壁面である第２の壁面とによって囲まれるようにして形成される複数の空間内にそれぞれに配置され、
前記複数の第１の給電線の互いに隣り合う２つが、前記複数の突出部のうちの１つによって、前記複数の空間の互いに隣り合う２つの中にそれぞれに配置された状態となるように隔てられるように配置され、
前記第２の給電線は、前記第２の支持部材の前記第２の壁面と逆側の面側に配置されていて、
前記着脱構造体は、
前記複数の１次転写装置と、
前記２次転写装置と、
前記複数の１次転写装置にそれぞれに連結されていて、当該着脱構造体が前記画像形成装置本体内に挿入された際に前記複数の第１の給電端子とそれぞれに接触し、前記複数の第１の給電端子を介してそれぞれに給電される複数の第１の被給電端子と、
前記２次転写装置に連結されていて、当該着脱構造体が前記画像形成装置本体内に挿入された際に前記第２の給電端子と接触し、前記第２の給電端子を介して給電される第２の被給電端子と、
を有する画像形成装置。
【請求項４】
前記第１の支持部材に、前記複数の第１の給電線をそれぞれに保持する複数の第１の保持溝あって、前記第１の壁面と前記複数の突出部であって互いに隣り合う２つとによって囲まれるようにしてそれぞれが形成され、前記第２の壁面と共に、囲むようにしてそれぞれが前記複数の空間のいずれかを形成する前記複数の第１の保持溝が形成され、
前記第２の支持部材に、前記第２の給電線を保持する第２の保持溝が形成され、
前記第２の支持部材の前記第２の壁面に前記複数の第１の保持溝のいずれかに挿入されるように形成された凸部をそれぞれが備え、前記複数の第１の給電線のいずれかが前記複数の第１の保持溝のいずれかから外れる方向に移動することを抑制する複数の移動抑制部を有する請求項３記載の画像形成装置。
【請求項５】
前記画像形成装置本体は、前記着脱構造体に対して前記着脱構造体が着脱される側に配置された側板を有し、
前記着脱構造体は、前記側板に押圧される請求項３又は４記載の画像形成装置。
【請求項６】
前記複数の１次転写装置の１つを、前記複数の像保持体の１つ対して接触又は離間するように移動させる移動部材を有し、
前記移動部材は、回転軸を中心に回転することで、前記複数の１次転写装置の１つを移動させ、
前記回転軸に、前記複数の第１の被給電端子の１つが設けられている請求項３乃至５いずれか記載の画像形成装置。
【請求項７】
画像形成装置本体と、
前記画像形成装置本体内に着脱される着脱構造体と、
像を保持する複数の像保持体と、
前記複数の像保持体に保持された像がそれぞれに転写される転写体と、
前記複数の像保持体から前記転写体にそれぞれに画像を転写する複数の１次転写装置と、
前記転写体から記録媒体に画像を転写する２次転写装置と、
前記複数の１次転写装置及び前記２次転写装置に電力を供給する給電装置と、
を有し、
前記給電装置は、
絶縁性の給電装置本体と、
前記複数の１次転写装置にそれぞれに電力を供給するために用いられる複数の第１の給電線と、
前記複数の第１の給電線で前記複数の１次転写装置にそれぞれに給電される電力と異なる電圧の電力を前記２次転写装置に供給するために用いられる第２の給電線と、
前記複数の第１の給電線のそれぞれに連結された複数の第１の給電端子と、
前記第２の給電線に連結された第２の給電端子と、
を有し、
前記給電装置本体は、
前記複数の第１の給電線をそれぞれに支持する第１の支持部材と、
前記第２の給電線を支持する第２の支持部材と、
を有し、
前記第１の支持部材は、
第１の壁面を有する壁面部と、
前記第１の壁面から前記第１の壁面と交差する方向に突出した複数の突出部と、
を有し、
前記複数の第１の給電線は、それぞれが、前記第１の壁面と、前記複数の突出部であって互いに隣り合う２つと、前記第２の支持部材の前記第１の支持部材側の側面である第２の壁面とによって囲まれるようにして形成される複数の空間内にそれぞれに配置され、
前記複数の第１の給電線の互いに隣り合う２つが、前記複数の突出部のうちの１つによって、前記複数の空間の互いに隣り合う２つの中にそれぞれに配置された状態となるように隔てられるように配置され、
前記第２の給電線は、前記第２の支持部材の前記第２の壁面と逆側の面側に配置されていて、
前記着脱構造体は、
前記複数の１次転写装置と、
前記２次転写装置と、
前記複数の１次転写装置にそれぞれに連結されていて、当該着脱構造体が前記画像形成装置本体内に挿入された際に前記複数の第１の給電端子とそれぞれに接触し、前記複数の第１の給電端子を介してそれぞれに給電される複数の第１の被給電端子と、
前記複数の１次転写装置の１つを、前記複数の像保持体の１つ対して接触又は離間するように移動させる移動部材と、
を有し、
前記移動部材は、回転軸を中心に回転することで、前記複数の１次転写装置の１つを移動させ、
前記回転軸に、前記複数の第１の被給電端子の１つが設けられている画像形成装置。
【発明の詳細な説明】
【技術分野】
【０００１】
本発明は、画像形成装置に関する。
【背景技術】
【０００２】
特許文献１には、中間転写ベルト又は転写材搬送ベルトに当接してトナー像のベルト上への転写を行う第１位置と、中間転写ベルトより離間して転写を行わない第２位置への移動を可能とした転写ローラは、装置本体に対して着脱可能とした転写ユニットに取り付けられていて、該転写ローラへの装置本体からの高圧給電の接続経路は、該転写ユニットを装着することによって装置本体から該転写ユニットの取り付け側に設けた給電接続部に自動的に接続し、該給電接続部から転写ローラへの接続は該給電接続部側とは反対側の転写ローラ軸端部に束線をもって中継し接続するよう構成した画像形成装置が開示されている。
【０００３】
特許文献２には、少なくとも一つの被給電部材とその端子を含み、装置本体に形成された開口部から前記装置本体内に着脱可能に装着される被給電ユニットを有し、前記端子と接触する給電端子を介して前記被給電部材に高圧電源から電力を供給する画像形成装置において、前記開口部を開放する位置と閉塞する位置とに移動可能に前記装置本体に装着され、閉塞位置を占めることで前記被給電部材を所定の位置に保持するとともに前記給電端子を有する移動ユニットを備え、前記移動ユニットが閉塞位置を占めた時に、前記端子と前記給電端子とが対向するように配設した画像形成装置が開示されている。
【先行技術文献】
【特許文献】
【０００４】
【特許文献１】特開２００５−３７４８２号公報
【０００５】
【特許文献２】特開２００４−３４７７２８号公報
【発明の概要】
【発明が解決しようとする課題】
【０００６】
本発明は、互いに異なる電圧で電力を供給する給電線間の沿面距離を確保しつつ、本構成を有しない場合と比較して小型化することができる画像形成装置を提供することを目的とする。
【課題を解決するための手段】
【０００９】
請求項１に係る本発明は、画像形成装置本体と、前記画像形成装置本体内に着脱される着脱構造体と、画像の形成及び記録媒体の搬送の少なくともいずれか一方に用いられる複数の第１の機器と、画像の形成及び記録媒体の搬送の少なくともいずれか一方に用いられる第２の機器と、前記複数の第１の機器及び前記第２の機器に電力を供給する給電装置と、を有し、前記給電装置は、絶縁性の給電装置本体と、前記複数の第１の機器にそれぞれ電力を供給するために用いられる複数の第１の給電線と、前記複数の第１の給電線で前記複数の第１の機器にそれぞれ供給される電力と異なる電圧の電力を前記第２の機器に供給するために用いられる第２の給電線と、前記複数の第１の給電線のそれぞれに連結された複数の第１の給電端子と、前記第２の給電線に連結された第２の給電端子と、を有し、前記給電装置本体は、前記複数の第１の給電線をそれぞれに支持する第１の支持部材と、前記第２の給電線を支持する第２の支持部材と、を有し、前記第１の支持部材は、第１の壁面を有する壁面部と、前記第１の壁面から、前記第１の壁面と交差する方向に突出した複数の突出部と、を有し、前記複数の第１の給電線は、それぞれが、前記第１の壁面と、前記複数の突出部であって互いに隣り合う２つと、前記第２の支持部材の前記第１の支持部材側の壁面である第２の壁面とによって囲まれるようにして形成される複数の空間内にそれぞれに配置され、前記複数の第１の給電線の互いに隣り合う２つが、前記複数の突出部のうちの１つによって、前記複数の空間の互いに隣り合う２つの中にそれぞれに配置された状態となるように隔てられるように配置され、前記第２の給電線は、前記第２の支持部材の前記第２の壁面と逆側の面側に配置されていて、前記着脱構造体は、前記複数の第１の機器と、前記第２の機器と、前記複数の第１の機器にそれぞれに連結されていて、当該着脱構造体が前記画像形成装置本体内に挿入された際に前記複数の第１の給電端子とそれぞれに接触し、前記複数の第１の給電端子を介してそれぞれに給電される複数の第１の被給電端子と、前記第２の機器に連結されていて、当該着脱構造体が前記画像形成装置本体内に挿入された際に前記第２の給電端子と接触し、前記第２の給電端子を介して給電される第２の被給電端子と、を有する画像形成装置である。
請求項２に係る本発明は、前記第１の支持部材に、前記複数の第１の給電線をそれぞれに保持する複数の第１の保持溝であって、前記第１の壁面と前記複数の突出部であって互いに隣り合う２つとによって囲まれるようにしてそれぞれが形成され、前記第２の壁面と共に、囲むようにしてそれぞれが前記複数の空間のいずれかを形成する前記複数の第１の保持溝が形成され、前記第２の支持部材に、前記第２の給電線を保持する第２の保持溝が形成され、前記第２の支持部材の前記第２の壁面に前記複数の第１の保持溝のいずれかに挿入されるように形成された凸部をそれぞれが備え、前記複数の第１の給電線のいずれかが前記複数の第１の保持溝のいずれかから外れる方向に移動することを抑制する複数の移動抑制部を有する請求項１記載の画像形成装置である。
【００１０】
請求項３に係る本発明は、画像形成装置本体と、前記画像形成装置本体内に着脱される着脱構造体と、像を保持する複数の像保持体と、前記複数の像保持体に保持された像がそれぞれに転写される転写体と、前記複数の像保持体から前記転写体にそれぞれに画像を転写する複数の１次転写装置と、前記転写体から記録媒体に画像を転写する２次転写装置と、前記複数の１次転写装置及び前記２次転写装置に電力を供給する給電装置と、を有し、前記給電装置は、絶縁性の給電装置本体と、前記複数の１次転写装置にそれぞれに電力を供給するために用いられる複数の第１の給電線と、前記複数の第１の給電線で前記複数の１次転写装置にそれぞれに給電される電力と異なる電圧の電力を前記２次転写装置に供給するために用いられる第２の給電線と、前記複数の第１の給電線のそれぞれに連結された複数の第１の給電端子と、前記第２の給電線に連結された第２の給電端子と、を有し、前記給電装置本体は、前記複数の第１の給電線をそれぞれに支持する第１の支持部材と、前記第２の給電線を支持する第２の支持部材と、を有し、前記第１の支持部材は、第１の壁面を有する壁面部と、前記第１の壁面から、前記第１の壁面と交差する方向に突出した複数の突出部と、を有し、前記複数の第１の給電線は、それぞれが、前記第１の壁面と、前記複数の突出部であって互いに隣り合う２つと、前記第２の支持部材の前記第１の支持部材側の壁面である第２の壁面とによって囲まれるようにして形成される複数の空間内にそれぞれに配置され、前記複数の第１の給電線の互いに隣り合う２つが、前記複数の突出部のうちの１つによって、前記複数の空間の互いに隣り合う２つの中にそれぞれに配置された状態となるように隔てられるように配置され、前記第２の給電線は、前記第２の支持部材の前記第２の壁面と逆側の面側に配置されていて、前記着脱構造体は、前記複数の１次転写装置と、前記２次転写装置と、前記複数の１次転写装置にそれぞれに連結されていて、当該着脱構造体が前記画像形成装置本体内に挿入された際に前記複数の第１の給電端子とそれぞれに接触し、前記複数の第１の給電端子を介してそれぞれに給電される複数の第１の被給電端子と、前記２次転写装置に連結されていて、当該着脱構造体が前記画像形成装置本体内に挿入された際に前記第２の給電端子と接触し、前記第２の給電端子を介して給電される第２の被給電端子と、を有する画像形成装置である。
請求項４に係る本発明は、前記第１の支持部材に、前記複数の第１の給電線をそれぞれに保持する複数の第１の保持溝あって、前記第１の壁面と前記複数の突出部であって互いに隣り合う２つとによって囲まれるようにしてそれぞれが形成され、前記第２の壁面と共に、囲むようにしてそれぞれが前記複数の空間のいずれかを形成する前記複数の第１の保持溝が形成され、前記第２の支持部材に、前記第２の給電線を保持する第２の保持溝が形成され、前記第２の支持部材の前記第２の壁面に前記複数の第１の保持溝のいずれかに挿入されるように形成された凸部をそれぞれが備え、前記複数の第１の給電線のいずれかが前記複数の第１の保持溝のいずれかから外れる方向に移動することを抑制する複数の移動抑制部を有する請求項３記載の画像形成装置である。
【００１３】
請求項５に係る本発明は、前記画像形成装置本体は、前記着脱構造体に対して前記着脱構造体が着脱される側に配置された側板を有し、前記着脱構造体は、前記側板に押圧される請求項３又は４記載の画像形成装置である。
【００１４】
請求項６に係る本発明は、前記複数の１次転写装置の１つを、前記複数の像保持体の１つ対して接触又は離間するように移動させる移動部材を有し、前記移動部材は、回転軸を中心に回転することで、前記複数の１次転写装置の１つを移動させ、前記回転軸に、前記複数の第１の被給電端子の１つが設けられている請求項３乃至５いずれか記載の画像形成装置である。
請求項７に係る本発明は、画像形成装置本体と、前記画像形成装置本体内に着脱される着脱構造体と、像を保持する複数の像保持体と、前記複数の像保持体に保持された像がそれぞれに転写される転写体と、前記複数の像保持体から前記転写体にそれぞれに画像を転写する複数の１次転写装置と、前記転写体から記録媒体に画像を転写する２次転写装置と、前記複数の１次転写装置及び前記２次転写装置に電力を供給する給電装置と、を有し、前記給電装置は、絶縁性の給電装置本体と、前記複数の１次転写装置にそれぞれに電力を供給するために用いられる複数の第１の給電線と、前記複数の第１の給電線で前記複数の１次転写装置にそれぞれに給電される電力と異なる電圧の電力を前記２次転写装置に供給するために用いられる第２の給電線と、前記複数の第１の給電線のそれぞれに連結された複数の第１の給電端子と、前記第２の給電線に連結された第２の給電端子と、を有し、前記給電装置本体は、前記複数の第１の給電線をそれぞれに支持する第１の支持部材と、前記第２の給電線を支持する第２の支持部材と、を有し、前記第１の支持部材は、第１の壁面を有する壁面部と、前記第１の壁面から前記第１の壁面と交差する方向に突出した複数の突出部と、を有し、前記複数の第１の給電線は、それぞれが、前記第１の壁面と、前記複数の突出部であって互いに隣り合う２つと、前記第２の支持部材の前記第１の支持部材側の側面である第２の壁面とによって囲まれるようにして形成される複数の空間内にそれぞれに配置され、前記複数の第１の給電線の互いに隣り合う２つが、前記複数の突出部のうちの１つによって、前記複数の空間の互いに隣り合う２つの中にそれぞれに配置された状態となるように隔てられるように配置され、前記第２の給電線は、前記第２の支持部材の前記第２の壁面と逆側の面側に配置されていて、前記着脱構造体は、前記複数の１次転写装置と、前記２次転写装置と、前記複数の１次転写装置にそれぞれに連結されていて、当該着脱構造体が前記画像形成装置本体内に挿入された際に前記複数の第１の給電端子とそれぞれに接触し、前記複数の第１の給電端子を介してそれぞれに給電される複数の第１の被給電端子と、前記複数の１次転写装置の１つを、前記複数の像保持体の１つ対して接触又は離間するように移動させる移動部材と、を有し、前記移動部材は、回転軸を中心に回転することで、前記複数の１次転写装置の１つを移動させ、前記回転軸に、前記複数の第１の被給電端子の１つが設けられている画像形成装置である。
【発明の効果】
【００１７】
本発明によれば、互いに異なる電圧で電力を供給する給電線間の沿面距離を確保しつつ、本構成を有しない場合と比較して小型化することができ、着脱構造体を画像形成装置本体内に着脱する際の給電装置と着脱構造体との電気的接続を良好に行うことができる画像形成装置を提供することができる。
【図面の簡単な説明】
【００２３】
【図１】本発明の実施形態に係る画像形成装置を示す斜視図である。
【図２】図１に示す画像形成装置本体から、開閉部を取り外した状態を示す斜視図である。
【図３】図１に示す画像形成装置を正面から示す断面図である。
【図４】図１に示す画像形成装置が有する画像形成部を正面から示す断面図である。
【図５】図１に示す画像形成装置から画像形成部を取り除いた状態を正面から示す断面図である。
【図６】図１に示す画像形成装置の画像形成装置本体内に、転写ユニットを着脱する様子を模式的に示す平面図である。
【図７】図１に示す画像形成装置が有する電源部を示す斜視図である。
【図８】図１に示す画像形成装置が有し、本発明の実施形態に係る給電装置を示す斜視図である。
【図９】図８に示す給電装置の、図８におけるＡ−Ａ線を含む鉛直面における断面を示す断面図である。
【図１０】図８に示す給電装置が有する第１本体部材を示す正面図である。
【図１１】図８に示す給電装装置が有する第２本体部材を示す正面図である。
【図１２】図１１に示す第２本体部を示す背面図である。
【図１３】図８に示す給電装置が有する第３本体部材を示す背面図である。
【図１４】図８に示す給電装置が有する第１の給電線を示す平面図である。
【図１５】図８に示す給電装置が有する第１の給電端子近傍を示す平面図である。
【図１６】図８に示す給電装置が有する第２の給電端子近傍を示す平面図である。
【図１７】図１に示す画像形成装置が有する転写ユニットを示す斜視図である。
【図１８】図１７に示す中間転写ベルトユニットから中間転写ベルトを取り外した状態を模式的に示す平面図である。
【図１９】図１７に示す転写ユニットが有する第１の被給電端子近傍の構成を示す正面図である。
【図２０】図１７に示す転写ユニットが有する第１の被給電端子近傍の構成を示す斜視図である。
【図２１】図１７に示す中間転写ベルトユニットが有する第２の被給電端子近傍の構成を示す斜視図である。
【図２２】比較例に係る給電装置を示す断面図である。
【発明を実施するための形態】
【００２４】
次に、本発明を実施するための最良の形態を、図面を参照して説明する。
図１には、本発明の形実施形態に係る画像形成装置１０が示されている。
図１に示されるように、画像形成装置１０は、画像形成装置本体１２を有し、画像形成装置本体１２は、後述する本体フレーム３０（図２参照）と、本体フレーム３０の外側を覆うように本体フレーム３０に取り付けられた外装カバー２０とを有する。外装カバー２０の正面側には、外装カバー２０に対して開閉することができるように、ヒンジ２６を用いて開閉部２４が装着されている。図１に示す矢印ａは、開閉部２４の外装カバー２０に対する開閉方向を示している。また、画像形成装置本体１２の上側は、画像が形成された記録媒体が排出される排出部１４として用いられている。
【００２５】
また、画像形成装置本体１２の正面側から、後述する記録媒体供給装置５００（図３参照）の例えば一部分を引き出すことができるようになっている。図１に示す矢印ｂは、記録媒体供給装置５００が画像形成装置本体１２から引き出される方向と、画像形成装置本体１２から引き出された記録媒体供給装置５００が画像形成装置本体１２内に装着される方向とを示している。
【００２６】
図２には、画像形成装置１０から開閉部２４（図１参照）が取り外された状態が示されている。
先述のように、画像形成装置本体１２は、本体フレーム３０を有する。本体フレーム３０の正面側であって、開閉部２４が開かれた際に露出する部分には、開閉フレーム３２が、ヒンジ３４、３４を用いて本体フレーム３０に対して開閉することができるように装着されている。開閉フレーム３２は、後述する転写ユニット１００（図３参照）に対して転写ユニット１００が着脱される側に配置された側板として用いられている。図２に示す矢印ｃは、開閉フレーム３２の本体フレーム３０に対する開閉方向を示している。
【００２７】
図３は、画像形成装置１０を正面から示す断面図である。
画像形成装置１０は、先述のように画像形成装置本体１２を有し、画像形成装置本体１２内には、記録媒体に画像を形成する画像形成部４０と、画像形成部４０に記録媒体を供給する記録媒体供給装置５００と、電源装置６００とが設けられている。記録媒体としては、例えば普通紙やＯＨＰシート等を用いることができる。また、画像形成装置本体１２には、イエロー現像剤収容容器９０Ｙ、マゼンタ現像剤収容容器９０Ｍ、シアン現像剤収容容器９０Ｃ、及び黒現像剤収容容器９０Ｋが、それぞれに着脱することができるように装着されている。
【００２８】
イエロー現像剤収容容器９０Ｙ、マゼンタ現像剤収容容器９０Ｍ、シアン現像剤収容容器９０Ｃ、黒現像剤収容容器９０Ｋには、イエローの現像剤、マゼンタの現像剤、シアンの現像剤、黒の現像剤がそれぞれに収容されていて、収容されたイエローの現像剤、マゼンタの現像剤、シアンの現像剤、黒の現像剤が、後述する現像装置５８Ｙ（図４参照）、現像装置５８Ｍ、現像装置５８Ｃ、現像装置５８Ｋに、それぞれ供給されるようになっている。
【００２９】
画像形成部４０は、イエロー画像形成部５０Ｙ、マゼンタ画像形成部５０Ｍ、シアン画像形成部５０Ｃ、黒画像形成部５０Ｋ、及び転写ユニット１００を有する。イエロー画像形成部５０Ｙ、マゼンタ画像形成部５０Ｍ、シアン画像形成部５０Ｃ、及び黒画像形成部５０Ｋは、それぞれが、像保持体として用いられる感光体ドラム５２Ｙ、５２Ｍ、５２Ｃ、５２Ｋを有し、それぞれが、イエローの現像剤を用いてイエローの現像剤像を形成し、マゼンタの現像剤を用いてマゼンタの現像剤像を形成し、シアンの現像剤像を用いてシアンの現像剤像を形成し、黒の現像剤を用いて黒の現像剤像を形成する。イエロー画像形成部５０Ｙ、マゼンタ画像形成部５０Ｍ、シアン画像形成部５０Ｃ、及び黒画像形成部５０Ｋの詳細は後述する。
【００３０】
転写ユニット１００は、画像形成装置本体１２内に着脱される着脱構造体として用いられていて、開閉部２４（図１参照）を開き、さらに開閉フレーム３２（図２参照）を開いた状態で、画像形成装置本体１２に対して着脱される。また、転写ユニット１００は、中間転写ベルト１０６を有する。
【００３１】
中間転写ベルト１０６は、感光体ドラム５２Ｙ、５２Ｍ、５２Ｃ、５２Ｋから転写された現像剤像及び感光体ドラム５２Ｙ、５２Ｍ、５２Ｃ、５２Ｋから現像剤像が転写された記録媒体の少なくとも一方を搬送する搬送部材として用いられているとともに、感光体ドラム５２Ｙ、５２Ｍ、５２Ｃ、５２Ｋに保持された像（現像剤像）が転写される転写体として用いられている。また、中間転写ベルト１０６は、無端状であって、支持ロール１１０、１１２、１１４、１１６、及び２次転写ロール１２４に、図３に矢印で示す方向に回転することができるように掛け渡されている。支持ロール１１０には、後述するギア１３０（図６参照）を介して後述するモータ３６（図６参照）からの駆動が伝達され、モータ３６からの駆動の伝達を受けて回転することで、支持ロール１１０は中間転写ベルト１０６に駆動を伝達する。
【００３２】
また、転写ユニット１００は、１次転写ロール１２２Ｙ、１２２Ｍ、１２２Ｃ、１２２Ｋを有する。１次転写ロール１２２Ｙ、１２２Ｍ、１２２Ｃ、１２２Ｋは、それぞれが、画像の形成及び記録媒体の搬送の少なくともいずれか一方に用いられる第１の機器として用いられていて、それぞれが、感光体ドラム５２Ｙ、５２Ｍ、５２Ｃ、５２Ｋの表面に形成されたイエローの現像剤像、マゼンタの現像剤像、シアンの現像剤像、黒の現像剤像を中間転写ベルト１０６に転写する。２次転写ロール１２４は、画像の形成及び記録媒体の搬送の少なくともいずれか一方に用いられる第２の機器として用いられていて、中間転写ベルト１０６に転写されたイエローの現像剤像、マゼンタの現像剤像、シアンの現像剤像、及び黒の現像剤像を、記録媒体に対してさらに転写する。転写ユニット１００については、後に説明を加える。
【００３３】
また、画像形成装置本体１２内には、２次転写ロール１２４によって記録媒体に転写された現像剤像を記録媒体に定着する定着装置８０が設けられている。定着装置８０は、熱源を備えた加熱ロール８２と、加熱ロール８２に加圧される加圧ロール８６とを有し、熱と圧力とによって現像剤像を転写媒体に対して定着する。
【００３４】
また、画像形成装置本体１２内には、画像形成部４０に記録媒体を供給する記録媒体供給装置５００が装着されている。記録媒体供給装置５００は、先述のように画像形成装置本体１２の前側（図３における手前側）に引き出すことができるようになっていて、記録媒体供給装置５００を画像形成装置本体１２から引き出した状態で記録媒体が補充される。
【００３５】
記録媒体供給装置５００は、記録媒体を積層した状態で収納する記録媒体収納容器５１２を有する。また、記録媒体供給装置５００は、記録媒体収納容器５１２に収納された最上位の記録媒体を抽出し、抽出した記録媒体を画像形成部４０へ向けて送り出すように搬送する搬送ロール５１４を有する。また、記録媒体供給装置５００は、記録媒体を捌き、画像形成部４０に複数枚の記録媒体が重なった状態で搬送されることを防止するために用いられるリタードロール５１６と、リタードロール５１６に圧接されたている圧接ロール５１８を有する。
【００３６】
また、画像形成装置本体１２内には、記録媒体の搬送に用いられる搬送路５３０が形成されている。搬送路５３０は、記録媒体供給装置５００から供給された記録媒体を画像形成部４０に搬送し、画像が形成された記録媒体を画像形成装置本体１２外に排出するために用いられる。搬送路５３０に沿って、記録媒体が搬送される方向における上流側から順に、先述の搬送ロール５１４と、リタードロール５１６及び圧接ロール５１８と、搬送ロール５３４と、レジストロール５４０と、２次転写ロール１２４と中間転写ベルト１０６を介して対向する対向ロール５４２と、先述の定着装置８０と、排出ロール５４４とが配置されている。
【００３７】
レジストロール５４０は、記録媒体供給装置５００側から搬送されてきた記録媒体の先端部を一時的に停止させ、中間転写ベルト１０６に各色のトナー像が転写されるタイミングと合致するように、２次転写ロール１２４と対向ロール５４２との間の位置に向けて記録媒体を送り出す。排出ロール５４４は、定着装置８０によって各色のトナーが定着された記録媒体を排出部１４に排出する。
【００３８】
図４には、イエロー画像形成部５０Ｙが示されている。マゼンタ画像形成部５０Ｍ、シアン画像形成部５０Ｃ、黒画像形成部５０Ｋは用いる現像剤の色が異なるものの、以下に説明をするイエロー画像形成部５０Ｙと構成が同一であるため説明を省略する。
【００３９】
図４に示されるように、イエロー画像形成部５０Ｙは、先述の感光体ドラム５２Ｙを有し、帯電装置５４Ｙと、潜像形成装置５６Ｙと、現像装置５８Ｙと、クリーニング装置６２Ｙとをさらに有する。帯電装置５４Ｙは、感光体ドラム５２Ｙを帯電する帯電部として用いられる帯電ロール５３Ｙを例えば有し、感光体ドラム５２Ｙの表面を均一に帯電する。潜像形成装置５６Ｙとしては、例えばＬＥＤアレイが用いられる。潜像形成装置５６Ｙは、帯電装置５４Ｙによって均一に帯電された感光体ドラム５２Ｙの表面に光を照射することによって、感光体ドラム５２Ｙの表面に潜像を形成する。現像装置５８Ｙは、現像剤保持体として用いられる現像ロール６０Ｙを有し、現像ロール６０Ｙでイエローの現像剤を感光体ドラム５２Ｙに供給し、感光体ドラム５２Ｙの表面に形成された潜像をイエローの現像剤によって現像する。クリーニング装置６２Ｙは、例えば、掻き落とし部材を有し、掻き落とし部材で、１次転写ロール１２２Ｙによってイエローの現像剤像が中間転写ベルト１０６に転写された後に感光体ドラム５２Ｙの表面に残留したイエローの現像剤像を掻き落とす。
【００４０】
感光体ドラム５２Ｙ、帯電装置５４Ｙ、潜像形成装置５６Ｙ、現像装置５８Ｙ、及びクリーニング装置６２Ｙの、全部又は一部を一体とし、イエロー画像形成部５０Ｙを画像形成装置本体１２内に着脱することができる着脱構造体としても良い。
【００４１】
図５には、画像形成装置１０の画像形成装置本体１２内から画像形成部４０（イエロー画像形成部５０Ｙ、マゼンタ画像形成部５０Ｍ、シアン画像形成部５０Ｃ、黒画像形成部５０Ｋ、及び転写ユニット１００）を取り除いた状態が示されている。図５に示されるように、画像形成装置本体１２内には、給電装置７００が設けられている。給電装置７００は、電源装置６００から、１次転写ロール１２２Ｙ、１２２Ｍ、１２２Ｃ、１２２Ｋ（図３参照）及び２次転写ロール１２４（図３参照）に電力を供給する給電装置として用いられている。また、転写ユニット１００が画像形成装置本体１２内に装着された状態において、転写ユニット１００より後側（図４における奥側）に位置するように配置されている。
【００４２】
また、給電装置７００は、給電装置本体７１０を有し、給電装置本体７１０に、給電装置本体７１０から手前側（図５における手前側）に突出するよう第１給電端子７５０Ｙ、７５０Ｍ、７５０Ｃ、７５０Ｋと、第２給電端子７６０とが取り付けられている。第１給電端子７５０Ｙ、７５０Ｍ、７５０Ｃ、７５０Ｋは、後述する第１の給電線７３０Ｙ、７３０Ｍ、７３０Ｃ、７３０Ｋ（図９参照）にそれぞれが連結されていて、それぞれが第１の給電線に連結された第１の給電端子として用いられている。第２の給電端子７６０は、後述する第２の給電線７３２（図９参照）に連結されていて、第２の給電線に連結された第２の給電端子として用いられている。
【００４３】
図６には、転写ユニット１００の構成と、転写ユニット１００が画像形成装置本体１２内に着脱される様子とが模式的に示されている。
図６に示されるように、転写ユニット１００は、前側に位置する前側側板１０２と、前側側板１０２に連結され、前側側板１０２よりも後側に位置し、前側側板と略平行に配置された後側側板１０４とを有する。そして、前側側板１０２と後側側板１０４との間に、支持ロール１１０と２次転写ロール１２４とが回転することができるように支持されている。また、前側側板１０２と後側側板１０４との間には、支持ロール１１０及び２次転写ロール１２４と同様に、１次転写ロール１２２Ｙ、１２２Ｍ、１２２Ｃ、１２２Ｍ（図３参照）と、支持ロール１１２、１１４、１１６（図３参照）とが回転することができるように支持されている。
【００４４】
また、転写ユニット１００は、支持ロール１１０に連結されたギア１３０を有している。ギア１３０は、転写ユニット１００が画像形成装置本体１２側に装着された際に、画像形成装置本体１２側に設けられ駆動源として用いられるモータ３６から駆動が伝達されるようになっている。
【００４５】
また、転写ユニット１００の例えば後側側板１０４には、後側に向けて、第１被給電端子１５０Ｙ、１５０Ｍ、１５０Ｃ、１５０Ｋと、第２被給電端子１６０とが取り付けられている。第１被給電端子１５０Ｙ、１５０Ｍ、１５０Ｃ、１５０Ｋは、１次転写ロール１２２Ｙ、１２２Ｍ、１２２Ｃ、１２２Ｋ（図１参照）にそれぞれが電気的に接続されていて、転写ユニット１００が画像形成装置本体１２内に装着された際に、第１給電端子７５０Ｙ、７５０Ｍ、７５０Ｃ、７５０Ｋにそれぞれが接触して、第１給電端子７５０Ｙ、７５０Ｍ、７５０Ｃ、７５０Ｋからそれぞれに給電される第１の被給電端子として用いられている。また、第２被給電端子１６０は、２次転写ロール１２４に電気的に接続されていて、転写ユニット１００が画像形成装置本体１２内に装着された際に、第１給電端子７６０に接触して、第２の給電端子７６０から給電される第２の給電端子として用いられている。
【００４６】
図７には、電源装置６００が示されている。
電源装置６００は、高圧電源であり、左側面側に、第１電源端子６１０Ｙ、６１０Ｍ、６１０Ｃ、６１０Ｋと、第２電源端子６２０とが設けられている。第１電源端子６１０Ｙ、６１０Ｍ、６１０Ｃ、６１０Ｋは、後述する第１給電線７３０Ｙ、７３０Ｍ、７３０Ｃ、７３０Ｋ（図９参照）に電気的に接続される。また、第２電源端子６２０は、後述する第２給電線７３２（図９参照）に電気的に接続される。
【００４７】
図８には、給電装置７００が示されている。
給電装置７００は、先述のように給電装置本体７１０を有する。
給電装置本体７１０は、例えば樹脂等の絶縁性の材料から形成され、絶縁性である。給電装置本体７１０には、給電装置本体７１０の前側に突出するように、第１給電端子７５０Ｙ、７５０Ｍ、７５０Ｃ、７５０Ｋと、第２の給電端子７６０とが取り付けられている。また、給電装置本体７１０の右側面には、給電装置本体７１０の右側面から突出するように、第１電源側端子７４０Ｙ、７４０Ｍ、７４０Ｃ、７４０Ｋと、第２電源側端子７４２とが取り付けられている。
【００４８】
第１給電端子７５０Ｙと第１電源側端子７４０Ｙとは、後述する第１給電線７３０Ｙ（図９参照）に取り付けられ、第１給電端子７５０Ｍと第１電源側端子７４０Ｍとは、後述する第１給電線７３０Ｍ（図９参照）に取り付けられ、第１給電端子７５０Ｃと第１電源側端子７４０Ｃとは、後述する第１給電線７３０Ｃ（図９参照）に取り付けられ、第１給電端子７５０Ｋと第１電源側端子７４０Ｋとは、後述する第１給電線７３０Ｋ（図９参照）に取り付けられている。また、第１電源側端子７４０Ｙ、７４０Ｍ、７４０Ｃ、７４０Ｋは、給電装置７００が画像形成装置本体１２内に装着された状態において、電源装置６００の第１電源端子６１０Ｙ、６１０Ｍ、６１０Ｃ、６１０Ｋに接触するようになっている。また、第２電源側端子７４２は、給電装置７００が画像形成装置本体１２内に装着された状態において、電源装置６００の第２電源端子６２０に接触するようになっている。
【００４９】
図９には、給電装置７００の図８におけるＡ−Ａ線を含む鉛直面における断面が示されている。
図９に示されるように、給電装置本体７１０は、後側に配置された第１本体部材７７０、手前側に位置する第３本体部材７９０、及び第１本体部材７７０と第３本体部材７９０との間に位置する第２本体部材７８０と有し、第１本体部材７７０、第２本体部材７８０、及び第３本体部材７９０を組み合わせるようにして形成されている。また、給電装置７００は、第１給電線７３０Ｙ、７３０Ｍ、７３０Ｃ、７３０Ｋと、第２給電線７３２とを有する。
第１本体部材７７０は、複数の第１の給電線として用いられる第１給電線７３０Ｙ、７３０Ｍ、７３０Ｃ、７３０Ｋを支持する第１の支持部材として用いられている。第２本体部材７８０は、第２の給電線として用いられる第２給電線７３２を支持する第２支持部材として用いられている。
【００５０】
第１本体部材７７０は、例えば樹脂等の絶縁性の材料を用いて成形されている。
また、第１本体部材７７０は、壁面７７０ａを有する壁面部７７０ｂと、壁面７７０ａから、壁面７７０ａと交差する方向に突出した突出部７７０ｄとを有する。第１本体部材７７０は、少なくとも１つの突出部７７０ｄを有し、この実施形態では、設けられた第１給電線７３０Ｙ、７３０Ｍ、７３０Ｃ、７３０Ｋの数である４個よりも１つ少ない数である３個の突出部７７０ｄ、７７０ｄ、７７０ｄを第１本体部材７７０は有している。
【００５１】
また、第１本体部材７７０は、上述の３個の突出部７７０ｄ、７７０ｄ、７７０ｄの間の位置と、両側に位置する突出部７７０ｄ、７７０ｄの間の位置に、前側に向けて４個の溝７７２Ｙ、７７２Ｍ、７７２Ｃ、７７２Ｋが形成されている。そして、溝７７２Ｙには第１給電線７３０Ｙが保持され、溝７７２Ｍには第１給電線７３０Ｍが保持され、溝７７２Ｃには第１給電線７３０Ｃが保持され、溝７７２Ｋには第１給電線７３０Ｋが保持されている。このように、溝７７２Ｙ、７７２Ｍ、７７２Ｃ、７７２Ｋは、それぞれが、第１の給電線を保持する第１の保持溝として用いられている。言い換えると、第１給電線７３０Ｙ、７３０Ｍ、７３０Ｃ、７３０Ｋは、突出部７７０ｄ、７７０ｄ、７７０ｄによって互いに隔てられるように配置されている。
【００５２】
第２本体部材７８０は、例えば樹脂等の絶縁性の材料を用いて形成されている。
第２本体部材７８０は、壁面７８０ａを有する壁面部７８０ｄを有し、壁面部７８０ｄの壁面７８０ａの裏側の面が、壁面７８０ｂとなっている。また、第２本体部材７８０は、壁面７８０ａから、壁面７８０ａと交差する方向に突出した突出部７８０ｅを、例えば２つ有する。そして、２つの突出部７８０ｅ、７８０ｅに間に溝７８２が形成されている。そして、溝７８２には第２給電線７３２が保持されている。このように、溝７８２は、第２の給電線を保持する第２の保持溝として用いられている。
【００５３】
第３本体部材７９０は、例えば樹脂等の絶縁性部材を材料として用いていて、溝７８２を覆うように、前側から第２本体部材７８０に装着されている。
【００５４】
ここで、第２本体部材７８０を基準とすると、第１給電線７３０Ｙ、７３０Ｍ、７３０Ｃ、７３０Ｋと、第２給電線７３２とは、第２本体部材７８０の壁面部７８０ｄに対して、互いに逆側に配置されている。すなわち、第２の給電線７３２は、第２本体部材７８０の第１給電線７３０Ｙ、７３０Ｍ、７３０Ｃ、７３０Ｋと対向する側の面である壁面７８０ｂと逆側の面である壁面７８０ａの側に配置されている。また、第１給電線７３０Ｙ、７３０Ｍ、７３０Ｃ、７３０Ｋは、第１本体部材７７０と、第２本体部材７８０との間に形成される空間に挟まれるように配置されている。
【００５５】
第１給電線７３０Ｙ、７３０Ｍ、７３０Ｃ、７３０Ｋは、それぞれが、給電装置本体７１０に支持され、１次転写ロール１２２Ｙ、１２２Ｍ、１２２Ｃ、１２２Ｋに電力を供給するための第１の給電線として用いられている。ここで、第１給電線７３０Ｙ、７３０Ｍ、７３０Ｃ、７３０Ｋを用いて１次転写ロール１２２Ｙ、１２２Ｍ、１２２Ｃ、１２２Ｋにそれぞれ供給される電力の電圧は、例えば＋３ｋＶである。
【００５６】
第２給電線７３２は、給電装置本体７１０に支持され、２次転写ロール１２４に電力を供給するための第２の給電電として用いられている。ここで、第２給電線７３２を用いて２次転写ロール１２４に供給される電力の電圧は、例えば−１０ｋＶである。
【００５７】
図１０は、第１本体部材７７０を示す正面図である。
図１０に示すように、第１本体部材７７０には、先述の溝７７２Ｙ、７７２Ｍ、７７２Ｃ、７７２Ｋが形成され、溝７７２Ｙ、７７２Ｍ、７７２Ｃ、７７２Ｋに、第１給電線７３０Ｙ、７３０Ｍ、７３０Ｃ、７３０Ｋが保持されている。また、第１給電線７３０Ｙ、７３０Ｍ、７３０Ｃ、７３０Ｋの一端部には、先述の第１給電端子７５０Ｙ、７５０Ｍ、７５０Ｃ、７５０Ｋがそれぞれに取り付けられている。また、第１給電線７３０Ｙ、７３０Ｍ、７３０Ｃ、７３０Ｋの他端部には、先述の第１電源側端子７４０Ｙ、７４０Ｍ、７４０Ｃ、７４０Ｋが取り付けられている。第１電源側端子７４０Ｙ、７４０Ｍ、７４０Ｃ、７４０Ｋとしては、例えばコイルスプリング等の、例えば弾性変形可能な部材が用いられる。
【００５８】
図１１は、第２本体部材７８０を示す正面図である。
図１１に示すように、第２本体部材７８０には、先述の溝７８２が形成され、溝７８２に、第２給電線７３２が保持される。また、第２給電線７３２の一端部には、先述の第２の給電端子７６０が取り付けられている。また、第１の給電線７３２の他端部には、先述の第２電源側端子７４２が取り付けられている。第２電源側端子７４２としては、例えばコイルスプリング等の、例えば弾性変形可能な部材が用いられる。また、第２本体部材７８０には、第１本体部材７７０の前側と、第２本体部材７８０の後側とを重ねた際に、第１給電端子７５０Ｙ、７５０Ｍ、７５０Ｃ、７５０Ｋが、それぞれ前側に向かって突き抜けることができるように、貫通孔７８４Ｙ、７８４Ｍ、７８４Ｃ、７８４Ｋが形成されている。
【００５９】
図１２は、第２本体部材７８０を示す背面図である。
図１２に示すように、第２本体部材７８０の背面には、例えば複数の凸部７８６Ｙ、７８６Ｍ、７８６Ｃ、７８６Ｋが形成されている。凸部７８６Ｙ、７８６Ｍ、７８６Ｃ、７８６Ｋは、第１給電線７３０Ｙ、７３０Ｍ、７３０Ｃ、７３０Ｋが、溝７７２Ｙ、７７２Ｍ、７７２Ｃ、７７２Ｋから外れる方向に移動することを抑制する第１の移動抑制部として用いられている。第１本体部材７７０の前側と、第２本体部材７８０の後側とが重ねた場合に、凸部７８６Ｙ、７８６Ｍ、７８６Ｃ、７８６Ｋは、それぞれが、溝７７２Ｙ、７７２Ｍ、７７２Ｃ、７７２Ｋに挿入された状態となり、第１給電線７３０Ｙ、７３０Ｍ、７３０Ｃ、７３０Ｋの移動を抑制する。
【００６０】
図１３は、第３本体部材７９０を示す背面図である。
図１３に示すように、第３本体部材７９０の背面には、例えば複数の凸部７９２が形成されている。凸部７９２は、第２給電線７３２が、溝７８２から外れる方向に移動することを抑制する第２の抑制部材として用いられている。第２本体部材７８０の前側と、第３本体部材７９０の後側とを重ねた場合に、凸部７９２は、溝７８２に挿入された状態となり、第２給電線７３２の移動を抑制する。
【００６１】
以上で説明をしたように、この実施形態に係る画像形成装置１０おいては、給電装置本体７１０に、第１給電線７３０Ｙ、７３０Ｍ、７３０Ｃ、７３０Ｋを保持する溝７７２Ｙ、７７２Ｍ、７７２Ｃ、７７２Ｋと、第２給電線７３２を保持する溝７８２の両方が形成されているが、溝７７２Ｙ、７７２Ｍ、７７２Ｃ、７７２Ｋ及び溝７８２の少なくとも一方が形成されていれば良く、溝７７２Ｙ、７７２Ｍ、７７２Ｃ、７７２Ｋのみを形成するか、溝７８２のみを形成するようにしても良い。
【００６２】
また、以上で説明をしたように、この実施形態に係る画像形成装置１０においては、第１給電線７３０Ｙ、７３０Ｍ、７３０Ｃ、７３０Ｋが、溝７７２Ｙ、７７２Ｍ、７７２Ｃ、７７２Ｋから外れる方向に移動することを抑制する凸部７８６Ｙ、７８６Ｍ、７８６Ｃ、７８６Ｋと、第２給電線７３２が溝７８２から外れる方向に移動することを抑制をする凸部７９２との両方が給電装置本体７１０に形成されていたが、凸部７８６Ｙ、７８６Ｍ、７８６Ｃ、７８６Ｋ、及び凸部７９２の少なくともいずれか一方が形成されていれば良く、凸部７８６Ｙ、７８６Ｍ、７８６Ｃ、７８６Ｋだけを形成しても、凸部７９２だけを形成しても良い。
【００６３】
図１４は、第１給電線７３０Ｙの、第１給電端子７５０Ｙが装着される側の端部を拡大して示す図である。
図１４に示すように、第１給電線７３０Ｙの第１給電端子７５０Ｙが装着される側の端部には、第１給電端子７５０Ｙ（図６参照）を、第１被給電端子１５０Ｙ（図６参照）に押圧するための第１の端子押圧部として用いられる第１押圧部７３６Ｙが設けられている。第１押圧部７３６は、例えば第１給電線７３０Ｙの一部として構成され、例えば図１４に示すように第１給電線７３０Ｙの端部をコイルスプリング状に加工することで構成される。
【００６４】
第１給電線７３０Ｙの第１給電端子７５０Ｙが装着される側の端部に、第１給電端子７５０Ｙを第１被給電端子１５０Ｙ（図６参照）に押圧するための第１押圧部７３６Ｙが設けられることと同様に、第１給電線７３０Ｍ、７３０Ｃ、７３０Ｋの第１給電端子７５０Ｍ、７５０Ｃ、７５０Ｋが装着される側の端部には、第１給電端子７５０Ｍ、７５０Ｃ、７５０Ｋを、第１被給電端子１５０Ｍ、１５０Ｃ、１５０Ｋ（図６参照）にそれぞれ押圧するための第１押圧部７３６Ｍ、７３６Ｃ、７３６Ｋが設けられている。
【００６５】
第１給電線７３０Ｙの第１給電端子７５０Ｙが装着される側の端部に、第１給電端子７５０Ｙを第１被給電端子１５０Ｙに押圧するための第１押圧部７３６Ｙが設けられることと同様に、第２給電線７３２の第２給電端子７６０が装着される側の端部に、第２給電端子７６０を第２被給電端子１６０に押圧するための第２の端子押圧部として用いられる第２押圧部７３８が設けられている（図１６参照）。
【００６６】
また、以上で説明をしたように、この実施形態に係る画像形成装置１０においては、第１押圧部７３６Ｙ、７３６Ｍ、７３６Ｃ、７３６Ｋと第２押圧部７３８との両方が形成されているが、第１押圧部７３６Ｙ、７３６Ｍ、７３６Ｃ、７３６Ｋ、及び第２押圧部７３８の少なくとも一方が形成されていれば良く、第１押圧部７３６Ｙ、７３６Ｍ、７３６Ｃ、７３６Ｋのみを形成しても良いし、第２押圧部７３８のみを形成しても良い。
【００６７】
図１５は、第１給電端子７５０Ｙ、７５０Ｍ、７５０Ｃ、７５０Ｋ近傍を拡大して示す平面図である。
図１５に示すように、第１本体部材７７０に保持された第１押圧部７３６Ｙ、７３６Ｍ、７３６Ｃ、７３６Ｋに、第１給電端子７５０Ｙ、７５０Ｍ、７５０Ｃ、７５０Ｋがそれぞれに装着され、第１押圧部７３６Ｙ、７３６Ｍ、７３６Ｃ、７３６Ｋによって、第１給電端子７５０Ｙ、７５０Ｍ、７５０Ｃ、７５０Ｋが、第１被給電端子１５０Ｙ、１５０Ｍ、１５０Ｃ、１５０Ｋに対してそれぞれに押し付けられている。
【００６８】
図１６は、第２給電端子７６０近傍を拡大して示す平面図である。
図１６に示すように、第２本体部材７８０に保持された第２押圧部７３８に第２給電端子７６０が装着され、第２押圧部７３８によって第２給電端子７６０が、第２被給電端子１６０に押し付けられている。
【００６９】
また、第１押圧部７３６Ｙ、７３６Ｍ、７３６Ｃ、７３６Ｋによって、第１給電端子７５０Ｙ、７５０Ｍ、７５０Ｃ、７５０Ｋが、第１被給電端子１５０Ｙ、１５０Ｍ、１５０Ｃ、１５０Ｋに対してそれぞれに押し付けられることで、転写ユニット１００が前側に押され、転写ユニット１００が側板として用いられる開閉フレーム３２（図２参照）に対して押し付けられる。また、第２押圧部７３８によって第２給電端子７６０が、第２被給電端子１６０に押し付けられることで、転写ユニット１００が前側に押され、転写ユニット１００が側板として用いられる開閉フレーム３２に対して押し付けられる。
【００７０】
図１７及び図１８には、転写ユニット１００が示されている。
先述のように、１次転写ロール１２２Ｙ、１２２Ｍ、１２２Ｃ、１２２Ｋと、２次転写ロール１２４とは、前側側板１０２及び後側側板１０４とに回転することができるように支持されている。そして、この際、１次転写ロール１２２Ｙ、１２２Ｍ、１２２Ｃ、１２２Ｋは、導電性を有する軸受１４０Ｙ、１４０Ｍ、１４０Ｃ、１４０Ｋを用いて後側側板１０４に支持されている。また、２次転写ロール１２４は、導電性を有する軸受１４２を用いて後側側板１０４に支持されている。
【００７１】
軸受１４０Ｙ、１４０Ｍ、１４０Ｃ、１４０Ｋは、通電部１７０Ｙ、１７０Ｍ、１７０Ｃ、１７０Ｋを用いて、第１被給電端子１５０Ｙ、１５０Ｍ、１５０Ｃ、１５０Ｋに、それぞれに電気的に接続されている。また、軸受１４２は、通電部１９０を用いて第２被給電端子１６０に電気的に接続されている。
【００７２】
図１９及び図２０には、通電部１７０Ｙ近傍が示されている。
図１９及び図２０に示すように、１次転写ロール１２２Ｙが軸受１４０Ｙに支持され、軸受１４０Ｙが軸受支持部材１７２に支持され、軸受支持部材１７２が後側側板１０４に支持されるようにして、１次転写ロール１２２Ｙが後側側板１０４に支持されている。ここで、軸受支持部材１７２は、例えば第１被給電端子１５０Ｙの位置を中心に揺動することができるように後側側板１０４に取り付けられている。また、軸受支持部材１７２には、例えばコイルスプリング等の弾性部材からなる付勢部材１７８が取り付けられていて、付勢部材１７８によって、図１９中における反時計回り方向に回転するように付勢されている。このため、軸受支持部材１７２が反時計回り方向に回転するように付勢されることで、１次転写ロール１２２Ｙが中間転写ベルト１０６に押し付けられるようになっている。
【００７３】
通電部１７０Ｙは、導電性の材料からなるトーションスプリング１８０Ｙを有する。トーションスプリング１８０Ｙは、一端部側が巻き付くように第１被給電端子１５０Ｙに接触していて、他端側が導電性を有する軸受１４０Ｙの下側に押し付けられている。このように、導電性部材からなるトーションスプリング１８０Ｙと、導電性部材からなる軸受１４０Ｙとによって、第１被給電端子１５０Ｙと１次転写ロール１２２Ｙとが電気的に接続されている。尚、図２０においては、図示の便宜上、軸受支持部材１７２を図示していない。
【００７４】
１次転写ロール１２２Ｍ、１２２Ｃ、１２２Ｋが後側側板１０４に支持される構成は、以上で説明をした１次転写ロール１２２Ｙが後側側板１０４に支持される構成と同一であるので説明を省略する。また、通電部１７０Ｍ、１７０Ｃ、１７０Ｋの構成は、通電部１７０Ｙと同一であるので説明を省略する。
【００７５】
以上のように、画像形成装置１０は、複数の１次転写ロール１２２Ｙ、１２２Ｍ、１２２Ｃ、１２２Ｋの１つを、感光体ドラムＹ、５２Ｍ、５２Ｃ、５２Ｋの１つ対して接触又は離間するように移動させる移動部材として用いられる軸受支持部材１７２を有し、軸受支持部材１７２が、軸として用いられる第１被給電端子１５０を中心に回転することで、複数の１次転写ロール１２２Ｙ、１２２Ｍ、１２２Ｃ、１２２Ｋの１つを移動させるようになっている。このため、簡単な構成で１次転写ロール１２２の感光体ドラム５２への位置決めがなされ、１次転写ロール１２２への給電が簡単に行われる。
【００７６】
図２１には、通電部１９０近傍が示されている。
通電部１９０は、導電性の材料からなる通電部材１９２と、導電性の材料からなるバネ部材１９８とを有し、通電部材１９２の一端側に第２被給電端子１６０が取り付けられ、通電部材１９２の他端部側にバネ部材１９８が取り付けられ、バネ部材１９８の通電部材１９２に取り付けられた側と逆側が、導電性材料からなる軸受１４２に押し付けられている。このように、通電部材１９２と、バネ部材１９８と、軸受１４２とによって、第２被給電端子１６０と２次転写ロール１２４とが電気的に接続されている。
【００７７】
以上で説明をした画像形成装置１０においては、１次転写ロール１２２Ｙ等が第１の機器として用いられ、２次転写ロール１２４が第２の部材として用いられ、１次転写ロール１２２Ｙに給電をする第１給電線７３０Ｙ等と、第１給電線７３０で給電される電力と異なる電圧で２次転写ロール１２４に給電する第２給電線７３２とを、絶縁性を備える壁面部として用いられる第２本体部材７８０に対して互いに逆側に配置する例を示したが、例えば、帯電ロール５３を第１の機器として用い、現像ロール６０を第２の機器として用い、帯電ロール５３に給電をする第１給電線と、この第１給電線で給電される電力と異なる電圧で現像ロール６０に給電する第２給電線７３２とを、絶縁性を備える壁面部に対して互いに逆側に配置するように画像形成装置１０に本発明を適用しても良い。
【００７８】
図２２には、比較例に係る給電装置７００が示されている。
先述の本発明の実施形態に係る給電装置７００（図９参照）では、第１本体部材７７０に第１給電線７３０Ｙ、７３０Ｍ、７３０Ｃ、７３０Ｋが支持され、第１本体部材７７０とは別の部材である第２本体部材７８０に、第２給電線７３２支持されていた。また、先述の本発明の実施形態に係る給電装置７００では、第２の給電線７３２は、第２本体部材７８０の第１給電線７３０Ｙ、７３０Ｍ、７３０Ｃ、７３０Ｋと対向する側の面である壁面７８０ｂと逆側の面である壁面７８０ａの側に配置されていた。これに対して、この比較例に係る給電装置７００においては、同じ部材である第１本体部材７７０に、第１給電線７３０Ｙ、７３０Ｍ、７３０Ｃ、７３０Ｋと、第２給電線７３２支持されている。また、第２の給電線７３２は、第２本体部材７８０の第１給電線７３０Ｙ、７３０Ｍ、７３０Ｃ、７３０Ｋと対向する側の面である壁面７８０ｂと側と同じ側に配置されている。
【００７９】
このため、先述の本発明の実施形態に係る給電装置７００においては、図２２に示す比較例に係る給電装置７００と比較して、例えば、給電装置７００を縦方向に長くする等、装置大型化することを回避しつつ、第１給電線７３０Ｙ、７３０Ｍ、７３０Ｃ、７３０Ｋと、第２給電線７３２と沿面距離を長くすることができる。よって、互いに異なる電圧の電力を供給するために用いられる第１給電線７３０Ｙ、７３０Ｍ、７３０Ｃ、７３０Ｋと、第２の給電線７３２との空間距離を長くすることなく、第１給電線７３０Ｙ、７３０Ｍ、７３０Ｃ、７３０Ｋと、第２の給電線７３２との間の良好な電気的絶縁を実現することができる。
【産業上の利用可能性】
【００８０】
以上で説明をしたように、本発明は、複写機、ファクシミリ装置、プリンター等の画像形成装置と、例えばこれらの画像形成装置に用いられる給電装置に適用することができる。
【符号の説明】
【００８１】
１０・・・画像形成装置
１２・・・画像形成装置本体
３２・・・開閉フレーム
５２・・・感光体ドラム
５４・・・帯電装置
５８・・・現像装置
１００・・・転写ユニット
１０６・・・中間転写ベルト
１２２・・・１次転写ロール
１２４・・・２次転写ロール
１５０・・・第１被給電端子
１６０・・・第２被給電端子
１７２・・・軸受支持部材
７００・・・給電装置
７１０・・・給電装置本体
７３０・・・第１給電線
７３２・・・第２給電線
７３６・・・第１押圧部
７３８・・・第２押圧部
７４０・・・第１電源側端子
７４２・・・第２電源側端子
７５０・・・第１給電端子
７６０・・・第２給電端子
７７０・・・第１本体部材
７７０ａ・・・壁面
７７０ｂ・・・壁面部
７７０ｄ・・・突出部
７７２・・・溝
７８０・・・第２本体部材
７８０ａ・・・壁面
７８０ｂ・・・壁面
７８０ｄ・・・壁面部
７８０ｅ・・・突出部
７８２・・・溝
７８６・・・凸部
７９２・・・凸部
【図１】
0005605741.tif 000002
【図２】
0005605741.tif 000003
【図３】
0005605741.tif 000004
【図４】
0005605741.tif 000005
【図５】
0005605741.tif 000006
【図６】
0005605741.tif 000007
【図７】
0005605741.tif 000008
【図８】
0005605741.tif 000009
【図９】
0005605741.tif 000010
【図１０】
0005605741.tif 000011
【図１１】
0005605741.tif 000012
【図１２】
0005605741.tif 000013
【図１３】
0005605741.tif 000014
【図１４】
0005605741.tif 000015
【図１５】
0005605741.tif 000016
【図１６】
0005605741.tif 000017
【図１７】
0005605741.tif 000018
【図１８】
0005605741.tif 000019
【図１９】
0005605741.tif 000020
【図２０】
0005605741.tif 000021
【図２１】
0005605741.tif 000022
【図２２】
0005605741.tif 000023